【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
電子取引を検証するために構成された取引処理システムであって、
前記システムは一つ以上のコンピューティングシステムを備え、
各コンピューティングシステムは、プロセッサとメモリと複数の記憶デバイスとを更に備え、
前記取引処理システムは、実行される際に、取引者により、物理トークンを使用して取引を開始することと、
前記物理トークン内に含まれる複数の認証資格情報を取引プラットフォームに送信することと、
前記取引プラットフォームにより、取引プロセス所有者と通信して前記複数の認証資格情報を送ることと、
前記物理トークンに関連付けられた前記認証資格情報により、検証プロセス所有者を自動的にアクティブ化することと、
前記取引プロセス所有者と前記検証プロセス所有者とにより、アカウント所有者の並列認証を実施することと、
前記検証プロセス所有者により、身元確認要求と一式の取引詳細データを前記アカウント所有者に送信することと、
前記アカウント所有者により、前記取引詳細データに基づいて前記取引を承認し、前記検証プロセス所有者に前記アカウント所有者の身元確認データを提供することと、
前記アカウント所有者が前記取引を承認し、前記アカウント所有者を照合する際に、前記認証プロセス所有者から前記取引プラットフォームへの前記取引を承認するために認証レスポンスを提供することと、
前記身元確認要求にレスポンスして、前記アカウント所有者により複数の身元確認データを提供することと、
前記検証プロセス所有者により、前記アカウント所有者を検証することと、
前記アカウント所有者のレスポンスに基づいて、前記検証プロセス所有者から前記取引プラットフォームにレスポンスを送信することと、
前記取引プロセス所有者により、前記取引を承認するかどうかを前記取引プラットフォームにレスポンスすることと、
前記取引プラットフォームにより、前記検証プロセス所有者からの前記認証レスポンスと前記取引プロセス所有者からの前記認証レスポンスとを結合することと、
結合レスポンスが前記検証プロセス所有者と前記取引プロセス所有者からの承認を示しているときに、前記取引者へ前記取引を承認することと、からなるステップを遂行することを特徴とする取引処理システム。
【請求項２】
前記物理トークンは、前記取引の前記処理において使用される前記複数の認証資格情報を含むデバイスまたはカードであることを特徴とする請求項１に記載の取引処理システム。
【請求項３】
前記取引プラットフォームは、前記取引プロセス所有者とデータ通信していることを特徴とする、取引を検証するための請求項１に記載の取引処理システム。
【請求項４】
前記取引プロセス所有者は、前記取引要求を管理し、その定義済みビジネスルールに基づいてレスポンスすることを特徴とする請求項１に記載の取引処理システム。
【請求項５】
前記検証プロセス所有者は、前記アカウント所有者とデータ通信を行い、前記アカウント所有者の前記身元を検証することを特徴とする請求項１に記載の取引処理システム。
【請求項６】
前記身元確認要求は、個別のコードとして前記アカウント所有者に送信されることを特徴とする請求項１に記載の取引処理システム。
【請求項７】
前記身元確認要求は、前記アカウント所有者のモバイルデバイスに送信されることを特徴とする請求項６に記載の取引処理システム。
【請求項８】
前記アカウント所有者により提供された前記身元確認データは、複数の個人コードとバイオメトリクスとデジタル署名とからなるグループより選択されることを特徴とする請求項１に記載の取引処理システム。
【請求項９】
前記アカウント所有者のレスポンスは、前記個別コードと前記身元確認データとの結合として、前記検証プロセス所有者に送信されることを特徴とする請求項６に記載の取引処理システム。
【請求項１０】
前記アカウント所有者による前記検証プロセス所有者への前記結合レスポンスは、前記アカウント所有者の前記身元を検証し前記取引を承認することを特徴とする請求項９に記載の取引処理システム。
【請求項１１】
前記取引プロセス所有者と前記検証プロセス所有者とは、前記アカウント所有者が以前に開始した前記取引を承認するかどうかを同時に決定することを特徴とする請求項１に記載の取引処理システム。
【請求項１２】
前記取引は、前記検証プロセス所有者と前記取引プロセス所有者との両者がレスポンスを送信し、前記取引を承認するときにのみ承認されることを特徴とする請求項１に記載の取引処理システム。
【請求項１３】
前記アカウント所有者に送られた前記身元確認要求は、一式の前記取引詳細データを含み、前記アカウント所有者が前記取引を検査し、前記取引を承認するかどうかを決定できるようにすることを特徴とする請求項１に記載の取引処理システム。
【請求項１４】
前記アカウント所有者は、前記身元確認データと前記取引詳細データとデジタル署名とを含む結合レスポンスメッセージを送信することを特徴とする請求項１３に記載の取引処理システム。
【請求項１５】
前記アカウント所有者の前記身元確認データは、前記結合レスポンスデータの前記デジタル署名内にのみ存在することを特徴とする請求項１４に記載の取引処理システム。
【請求項１６】
前記検証プロセス所有者は、一式の既知の取引詳細と前記アカウント所有者の前記身元確認データとを結合し、前記デジタル署名を検証することを特徴とする請求項１５に記載の取引処理システム。
【請求項１７】
取引処理システムを利用するステップを備えた、並列自律マルチファクタ認証に基づいて取引を承認する方法であって、
前記取引処理システムは実行される際、取引者により、物理トークンを所得し取引を開始することと、
前記物理トークン内に含まれる複数の認証資格情報を取引プラットフォームに送信することと、
前記取引プラットフォームにより、取引プロセス所有者と通信して前記複数の認証資格情報を送ることと、
前記物理トークンと関連付けられた前記認証資格情報により、検証プロセス所有者を自動的にアクティブ化することと、
前記取引プロセス所有者と前記検証プロセス所有者とにより、アカウント所有者の並列認証を実施することと、
前記検証プロセス所有者により、身元確認要求と一式の取引詳細データを前記アカウント所有者に送信することと、
前記アカウント所有者により、前記取引詳細データに基づいて前記取引を承認し、前記検証プロセス所有者に前記アカウント所有者の身元確認データを提供することと、
前記アカウント所有者が前記取引を承認し、前記アカウント所有者を照合する際に、前記認証プロセス所有者から前記取引プラットフォームへの前記取引を承認するために認証レスポンスを提供することと、
前記取引プラットフォームにより、前記検証プロセス所有者からの前記認証レスポンスと前記取引プロセス所有者からの前記認証レスポンスとを結合することと、
前記結合レスポンスが前記検証プロセス所有者と前記取引プロセス所有者からの承認を示しているときに、前記取引者へ前記取引を承認することと、からなるステップを遂行することを特徴とする方法。
【請求項１８】
前記身元確認要求にレスポンスして、前記アカウント所有者により複数の身元確認データを提供することと、
前記検証プロセス所有者により前記アカウント所有者を検証することと、
前記アカウント所有者の前記レスポンスに基づいて、前記検証プロセス所有者から前記取引プラットフォームにレスポンスを送信することと、
前記取引プロセス所有者により、前記アカウント所有者の身元確認をすることと、からなるステップを更に備えた、並列自律マルチファクタ認証に基づいて取引を承認する請求項１３に記載の方法。
【請求項１９】
前記物理トークンは、前記取引の前記処理において使用される前記複数の認証資格情報を含むデバイスまたはカードであることを特徴とする、並列自律マルチファクタ認証に基づいて取引を承認する請求項１７に記載の方法。
【請求項２０】
前記取引プラットフォームは前記取引プロセス所有者とデータ通信を行っていることを特徴とする、並列自律マルチファクタ認証に基づいて取引を承認する請求項１７に記載の方法。
【請求項２１】
前記取引プロセス所有者は、その定義済みビジネスルールに基づいて前記取引要求を管理しレスポンスすることを特徴とする、並列自律マルチファクタ認証に基づいて取引を承認する請求項１７に記載の方法。
【請求項２２】
前記検証プロセス所有者は、前記アカウント所有者とデータ通信を行って、前記アカウント所有者の前記身元を検証することを特徴とする、並列自律マルチファクタ認証に基づいて取引を承認する請求項１７に記載の方法。
【請求項２３】
前記身元確認要求は、個別コードとして前記アカウント所有者に送信されることを特徴とする、並列自律マルチファクタ認証に基づいて取引を承認する請求項１７に記載の方法。
【請求項２４】
前記身元確認要求は、前記アカウント所有者のモバイルデバイスに送信されることを特徴とする、並列自律マルチファクタ認証に基づいて取引を承認する請求項１７に記載の方法。
【請求項２５】
前記アカウント所有者により提供された前記身元確認データは、複数の個人コードとバイオメトリクスとデジタル署名とからなるグループより選択されることを特徴とする、並列自律マルチファクタ認証に基づいて取引を承認する請求項１７に記載の方法。
【請求項２６】
前記アカウント所有者のレスポンスは、前記個別コードと前記身元確認データとの結合として、前記検証プロセス所有者に送信されることを特徴とする、並列自律マルチファクタ認証に基づいて取引を承認する請求項１７に記載の方法。
【手続補正２】
【補正対象書類名】明細書
【補正対象項目名】００３２
【補正方法】変更
【補正の内容】
【００３２】
図２は、取引処理システム１０によって実行されるデータ分析の一実施形態のフローチャートである。ステップ１００では、取引者２は、起点５０で利用される物理トークン４を取得する。起点５０は、取引プラットフォーム３０と電子的にデータ通信を行っている。ステップ１０１では、起点５０は、取引データおよび物理トークン４に関連付けられた認証資格情報をもって、取引プラットフォーム３０内で取引を開始する。ステップ１０２では、取引プラットフォーム３０は、取引の詳細と物理トークン４によって提供された認証資格情報とを検証プロセス所有者１２に通信する。
【手続補正３】
【補正対象書類名】明細書
【補正対象項目名】００４２
【補正方法】変更
【補正の内容】
【００４２】
ステップ２１４では、取引プラットフォームは、取引プロセス所有者８および検証プロセス所有者１２からの検証レスポンスを結合する。両方の検証レスポンスが取引を承認する場合、その結合により取引承認となる。検証の結合が取引プロセス所有者８と検証プロセス所有者１２との両者から承認を得ていない場合、その結合により拒否となる。ステップ２１６では、取引プラットフォーム３０は、結合の結果を起点５０に送信する。
【手続補正４】
【補正対象書類名】図面
【補正対象項目名】図２
【補正方法】変更
【補正の内容】
【図２】
2018533144.tif 000001
【手続補正５】
【補正対象書類名】図面
【補正対象項目名】図４
【補正方法】変更
【補正の内容】
【図４】
2018533144.tif 000002
【手続補正６】
【補正対象書類名】図面
【補正対象項目名】図５
【補正方法】変更
【補正の内容】
【図５】
2018533144.tif 000003